(57)【要約】【課題】  着脱作業が容易であり、設置コストが少なく、且つコンパクトで保管管理が容易な遊技機用肘掛を提供する。【解決手段】  遊技機の前面に設けられたテーブル部に着脱可能に取り付けられる遊技機用肘掛であって、上記テーブル部の前端縁に設けられた肘掛取付部に上下方向に回動可能に取り付けられるアーム部と、上記アーム部に取り付けられ、遊技者が肘を置きうる肘掛部とを備え、上記アーム部を上方に向かって所定角度回動させることにより上記テーブル部から取り外すことができるように構成とする。【選択図】  図１
2011218020.tif 000002
【特許請求の範囲】
【請求項１】
遊技機の前面に設けられたテーブル部に着脱可能に取り付けられる遊技機用肘掛であって、
上記テーブル部の前端縁に設けられた肘掛取付部に上下方向に回動可能に取り付けられるアーム部と、
上記アーム部に取り付けられ、遊技者が肘を置きうる肘掛部とを備え、上記アーム部を上方に向かって所定角度回動させることにより上記テーブル部から取り外すことができるように構成されていることを特徴とする遊技機用肘掛
【請求項２】
上記肘掛取付部は、上記テーブル部の前端縁において、遊技者側へ突出するように設けられ、断面逆Ｕ字形に形成された係合受け部を有すると共に、上記アーム部の反遊技者側端部は上記係合受け部に係合しうる断面Ｕ字形に形成された係合部を有し、
上記係合受け部と上記係合部とは、上記アーム部が上記テーブル部に対して水平方向から垂直方向に回動する間には、係合状態が保持されると共に、上記アーム部が上記テーブル部に対して垂直となる位置となった場合に、上記係合状態が解除されることを特徴とする請求項１または請求項１に記載の遊技機用肘掛。
【請求項３】
上記アーム部を上方に向かって回動させる場合において、遊技機の前面ドアを閉止した状態では、遊技機のハンドルと上記アーム部が当接することによって、上記アーム部の回動が阻害されると共に、
上記遊技機の前面ドアを開放した状態においては、上記ハンドルと上記アーム部との当接が解除され、上記アーム部が上記テーブル部に対して垂直となる位置まで回動可能となることを特徴とする請求項２記載の遊技機用肘掛。
【請求項４】
上記肘掛部は、上記アーム部の反遊技機側端部に取り付けられ、肘置部と、上記肘置部の下方に延設された支持部とを有し、上記アーム部の反遊技機側端部には、上記支持部を上下方向に移動可能に収納しうる受け部が設けられ、上記支持部の下端部には肘置部の高さ位置調整用の掛止片部が設けられると共に、上記受け部の内部には、上下方向に沿って、上記掛止片部が掛止されうる複数の段部が設けられていることを特徴とする請求項１から請求項３いずれか１項に記載の遊技用肘掛。
【請求項５】
上記受け部は、上記アーム部を、上記テーブル部に対して水平となる位置に装着した状態において、遊技者側に向かって所定角度傾斜して配置されると共に、上記段部は、反遊技機方向に突出して配置され、
上記掛止片部は、上記アーム部を、上記テーブル部に対して水平となる位置に装着した状態において、遊技機方向に突出して配設され、
上記肘掛部に対して荷重を掛けた場合には、上記掛止片部は上記段部に掛止する方向に付勢されると共に、上記肘掛部に対する荷重が解除された場合には、上記掛止片部と上記段部との掛止状態が解除され、上記支持部が上下方向に移動可能となることを特徴とする請求項４記載の遊技機用肘掛。
【請求項６】
上記支持部の上端部には、上記肘置部に、スライド可能に嵌合しうる、台部が形成され、
上記肘置部は、上記台部に沿って前後方向にスライドしうることを特徴とする請求項４または請求項５に記載の遊技機用肘掛。
【請求項７】
上記受け部の下端部近傍には、オプション部品装着用の螺子穴が設けられていることを特徴とする請求項４から請求項６いずれか１項に記載の遊技機用肘掛。
【発明の詳細な説明】
【技術分野】
【０００１】
本発明は、パチンコ台等の遊技機に着脱可能に装着される遊技機用肘掛に関する。
【背景技術】
【０００２】
パチンコ台に代表される遊技機で遊技する場合は、一般的に遊技機前方の椅子に腰掛け、右手で遊技機の右側下部に配置された球打用ハンドルを握って遊技する。
【０００３】
一般的に遊技機の球打ち用ハンドルは、遊技機の下端部よりやや上方に配置されている。
また、遊技機の下端部には、賞球を収納するための賞球箱を載置するために、テーブル部が取り付けられているが、上記テーブル部は、あくまで賞球箱を載置しうる幅寸法が確保されているに過ぎないため、球打用ハンドルを手で握った状態では肘を載置することはできず、結果的に遊技中は長時間に亘り、肘が浮いた状態のままとなる。
【０００４】
遊技機がパチンコ台の場合、遊技時間が数時間という長時間に亘ることも珍しくなく、上記球打用ハンドルを握ったままの状態で長時間腕を保持した場合、非常に腕が疲労するという不具合を有していた。
また、腕が疲労した場合には、足を組み、太もも等に肘を載置することもあるが、この場合、体の姿勢が非常に悪くなり、腰痛及び背痛等の原因ともなりうる。
【０００５】
上記の不具合を解決するために、図３に示すように、遊技機（図示せず）の前面の被固定部６１の、前方の床部６２に立設する形態の遊技機用肘掛６０が提案されている（特許文献１）。
図３に示すように、上記特許文献１にかかる遊技代用肘掛６０は、遊技機の、前方の床部６２上に固定されたベース部６３に立設された支柱部６４と、上記支柱部６４の上端から、上方に向かって傾斜して延設された斜材部６５と、上記斜材部６５に延設された水平材部６６と、上記水平材部６６に装着された肘置部６７とから形成されている。
上記斜材部６５は、下側半部６５ｂと上側半部６５ａからなり、夫々断面略コ字形状に形成されると共に、上記上側半部６５ａは上記下側半部６５ｂを被覆しうる幅寸法に形成されている。
また、上記下側半部６５ｂの対向する側板部６８には長孔６９が設けられ、上記下側半部６５ｂに上側半部６５ａを摺動可能に被せた状態で、上記上側半部６５ａの外方から、上記上側半部６５ａと、上記下側半部６５ｂの長孔６９を貫通する軸部７０が配設され、上記上側半部６５ａは、上記下側半部６５ｂの上記長孔６９に沿って摺動しうるように形成されている。
【０００６】
上記構成により、上記斜材部６５の上方半部６５ｂを下方半部６５ａに沿って摺動させることによって、上記肘置部６７の床部６２からの高さ、及び遊技機に対する前後方向位置を調整することが可能である。
【０００７】
しかしながら、上記特許文献１にかかる遊技機用肘掛６０にあっては、床部６２にベース部６３をボルト等で固定する必要があるため、床部６２に穴あける必要がある。
従って、設置作業が大掛かりとなり、作業工数、及びコストが大きくなる。
また、取り付けた状態においては、支柱部６４が床部６２に立設されることから、遊技中に足等をぶつけ易く危険であり、また清掃作業等において非常に邪魔となるという不具合を有していた。
また、全体が非常に大型で嵩張ることから、遊技機入れ替え作業等に伴って取り外した場合に、保管場所等の確保が困難であるという別の不具合をも有していた。
【特許文献１】実登３１５１７５４号公報
【発明の開示】
【発明が解決しようとする課題】
【０００８】
本発明の解決する課題は、着脱作業が容易であり、設置コストが少なく、且つコンパクトで保管管理が容易な遊技機用肘掛を提供することにある。
【課題を解決するための手段】
【０００９】
上記課題を解決するために、請求項１に記載した発明に係る遊技機用肘掛は、遊技機の前面に設けられたテーブル部に着脱可能に取り付けられる遊技機用肘掛であって、上記テーブル部の前端縁に設けられた肘掛取付部に上下方向に回動可能に取り付けられるアーム部と、上記アーム部に取り付けられ、遊技者が肘を置きうる肘掛部とを備え、上記アーム部を上方に向かって所定角度回動させることにより上記テーブル部から取り外すことができるように構成されていることを特徴とする。
【００１０】
従って、本発明にかかる遊技機用肘掛は、肘掛取付部に上記アーム部を肘掛取付部に取り付けることによってテーブル部に装着され、上記アーム部を上方に向かって回動することによって、上記テーブル部から取外すことができる。
【００１１】
また、請求項２に記載した発明にかかる遊技機用肘掛は、上記肘掛取付部は、上記テーブル部の前端縁において、遊技者側へ突出するように設けられ、断面逆Ｕ字形に形成された係合受け部を有すると共に、上記アーム部の反遊技者側端部は上記係合受け部に係合しうる断面Ｕ字形に形成された係合部を有し、上記係合受け部と上記係合部とは、上記アーム部が上記テーブル部に対して水平方向から垂直方向に回動する間には、係合状態が保持されると共に、上記アーム部が上記テーブル部に対して垂直となる位置となった場合に、上記係合状態が解除されることを特徴とする。
【００１２】
従って、上記アーム部が上記テーブル部に対して水平となる位置の場合には、上記肘掛取付部の逆Ｕ字部分と、上記係合部のＵ字部分が互いに係合すると共に、上記アーム部を上方に向かってさせた場合には、上記係合部の内側面部に沿って、上記肘掛取付部の先端部が次第に移動して、上記アーム部が上記テーブル部に対して垂直となる位置となった場合に、上記係合受け部と上記係合部との係合状態が解除される。
【００１３】
また、請求項３に記載した発明にかかる遊技機用肘掛は、上記アーム部を上方に向かって回動させる場合において、遊技機の前面ドアを閉止した状態では、遊技機のハンドルと上記アーム部が当接することによって、上記アーム部の回動が阻害されると共に、上記遊技機の前面ドアを開放した状態においては、上記ハンドルと上記アーム部との当接が解除され、上記アーム部が上記テーブル部に対して垂直となる位置まで回動可能となることを特徴とする。
【００１４】
従って、遊技中においては、上記遊技機の前面ドアが閉止されているため、上記アーム部が誤って回動した場合であっても、アーム部がハンドルに当接して、回動が阻害され、上記アーム部が外れてしまうことがない。
【００１５】
また、請求項４に記載した発明にかかる遊技機用肘掛は、上記肘掛部は、上記アーム部の反遊技機側端部に取り付けられ、肘置部と、上記肘置部の下方に延設された支持部とを有し、上記アーム部の反遊技機側端部には、上記支持部を上下方向に移動可能に収納しうる受け部が設けられ、上記支持部の下端部には肘置部の高さ位置調整用の掛止片部が設けられると共に、上記受け部の内部には、上下方向に沿って、上記掛止片部が掛止されうる複数の段部が設けられていることを特徴とする。
【００１６】
従って、上記段部において、上記掛止片部の掛止位置を変更することによって、上記置部の高さが変更される。
【００１７】
また、請求項５に記載した発明にかかる遊技機用肘掛は、上記受け部は、上記アーム部を、上記テーブル部に対して水平となる位置に装着した状態において、遊技者側に向かって所定角度傾斜して配置されると共に、上記段部は、反遊技機方向に突出して配置され、上記掛止片部は、上記アーム部を、上記テーブル部に対して水平となる位置に装着した状態において、遊技機方向に突出して配設され、上記肘掛部に対して荷重を掛けた場合には、上記掛止片部は上記段部に掛止する方向に付勢されると共に、上記肘掛部に対する荷重が解除された場合には、上記掛止片部と上記段部との掛止状態が解除され、上記支持部が上下方向に移動可能となることを特徴とする。
【００１８】
従って、上記肘掛部に肘を置いた状態においては、上記肘掛部の高さが固定されると共に、肘を載置していない状態においては、上記肘掛部の高さを自由に調整することができる。
【００１９】
また、請求項６に記載した発明にかかる遊技機用肘掛は、上記支持部の上端部には、上記肘置部に、スライド可能に嵌合しうる、台部が形成され、上記肘置部は、上記台部に沿って前後方向にスライドしうることを特徴とする。
【００２０】
従って、肘の位置に合わせて、上記肘置部をスライドさせて前後方向位置を決定する。
【００２１】
また、請求項７に記載した発明にかかる遊技機用肘掛は、上記受け部の下端部近傍には、オプション部品装着用の螺子穴が設けられていることを特徴とする。
【００２２】
従って、必要に応じ上記螺子穴を介して灰皿等のオプション部品を取り付けることができる。
【発明の効果】
【００２３】
請求項１の発明にあっては、遊技機のテーブル部の前端縁に設けられた肘掛取付部に上下方向に回動可能に取り付けられるアーム部と、上記アーム部に取り付けられ、遊技者が肘を置きうる肘掛部とを備え、上記アーム部を上方に向かって所定角度回動させることにより上記テーブル部から取り外すことができるように構成されているとから、アーム部回動操作よって、容易に着脱作業が可能であり、また、従来のように、床等に固定する必要がある部品等が無いことから、設置コストが少なく、且つ、取り外した場合に、コンパクトで保管管理が容易な遊技機用肘掛を提供することができる。
【００２４】
また、請求項２及び３の発明にあっては、上記肘掛取付部は、上記テーブル部の前端縁において、遊技者側へ突出するように設けられ、断面逆Ｕ字形に形成された係合受け部を有すると共に、上記アーム部の反遊技者側端部は上記係合受け部に係合しうる断面Ｕ字形に形成された係合部を有し、上記係合受け部と上記係合部とは、上記アーム部が上記テーブル部に対して水平方向から垂直方向に回動する間には、係合状態が保持されると共に、上記アーム部が上記テーブル部に対して垂直となる位置となった場合に、上記係合状態が解除されることから、上記アーム部に腕が触れる等によって、多少回動した場合であっても、誤って上記アーム部がはずれてしまうことが無い。
特に、請求項３の発明にあっては、上記アーム部を上方に向かって回動させる場合において、遊技機の前面ドアを閉止した状態では、遊技機のハンドルと上記アーム部が当接することによって、上記アーム部の回動が阻害されると共に、上記遊技機の前面ドアを開放した状態においては、上記ハンドルと上記アーム部との当接が解除され、上記アーム部が上記テーブル部に対して垂直となる位置まで回動可能となることから、遊技中の場合に誤ってアーム部が外れてしまう事態を確実に防止することができる。
【００２５】
また、請求項４の発明にあっては、上記肘掛部は、上記アーム部の反遊技機側端部に取り付けられ、肘置部と、上記肘置部の下方に延設された支持部とを有し、上記アーム部の反遊技機側端部には、上記支持部を上下方向に移動可能に収納しうる受け部が設けられ、上記支持部の下端部には肘置部の高さ位置調整用の掛止片部が設けられると共に、上記受け部の内部には、上下方向に沿って、上記掛止片部が掛止されうる複数の段部が設けられていることから、使用者の肘の高さに合わせて、上記肘掛部を最適な高さ位置に調整することができる。
【００２６】
また、請求項５の発明にあっては、上記受け部は、上記アーム部を、上記テーブル部に対して水平となる位置に装着した状態において、遊技者側に向かって所定角度傾斜して配置されると共に、上記段部は、反遊技機方向に突出して配置され、上記掛止片部は、上記アーム部を、上記テーブル部に対して水平となる位置に装着した状態において、遊技機方向に突出して配設され、上記肘掛部に対して荷重を掛けた場合には、上記掛止片部は上記段部に掛止する方向に付勢されると共に、上記肘掛部に対する荷重が解除された場合には、上記掛止片部と上記段部との掛止状態が解除され、上記支持部が上下方向に移動可能となることから、請求項４にかかる発明の効果に加え、肘を載置した状態においては確実に所定の高さ位置にロックされる、肘を離した状態においては、上記肘掛部の高さ調整を簡易に行うことができる。
【００２７】
また、請求項６の発明にあっては、上記支持部の上端部には、上記肘置部に、スライド可能に嵌合しうる、台部が形成され、上記肘置部は、上記台部に沿って前後方向にスライドしうることから、使用者の肘の位置に合わせて、上記肘掛部を最適な前後位置に調整することができる。
【００２８】
また、請求項７に記載した発明にあっては、上記受け部の下端部近傍には、オプション部品装着用の螺子穴が設けられていることから、肘掛以外の多彩な機能を発揮することができる。
【図面の簡単な説明】
【００２９】
【図１】本発明の一実施の形態を示し、実施例の形態における遊技機用肘掛の幅方向断面図である。
【図２】本発明の一実施の形態を示し、（ａ）−１は、実施例の形態における遊技機用肘掛を設置した状態を示す側面図、（ａ）−２は、（ａ）−１の状態における点線円囲み部を拡大した断面図、（ｂ）−１は、遊技機の前面ドアを閉止した状態で、アーム部を回動し、ハンドルに当接した状態を示す側面図、（ｂ）−２は、（ｂ）−１の状態における点線円囲み部を拡大した断面図、（ｃ）−１は、遊技機の前面ドアを開放した状態で、アーム部をテーブル部に対して垂直となる位置に回動させた場合の側面図、（ｃ）−２は、（ｃ）−１の状態における点線円囲み部を拡大した断面図である。
【図３】従来の遊技機用肘掛を示す側面図である。
【発明を実施するための最良の形態】
【００３０】
本発明を実施するための形態について、添付図面を用いて以下説明する。
図１に示すように、本実施例に係る遊技機用肘掛１０は、テーブル部１２の前端縁１２ａに設けられた肘掛取付部１３に上下方向に回動可能に取り付けられるアーム部１７と、上記アーム部１７に取り付けられ、遊技者が肘を置きうる肘掛部１８とを備えている。
【００３１】
また、図２（ａ）−２に示すように、上記肘掛取付部１３は、上記テーブル部１２の前端縁１２ａにおいて、遊技者側へ突出するように設けられ、断面逆Ｕ字形に形成された係合受け部１９を有すると共に、上記アーム部１７の反遊技者側端部１４は上記係合受け部１９に係合しうる断面Ｕ字形に形成された係合部１５を有し、上記係合受け部１９と上記係合部１５とは、上記アーム部１７が上記テーブル部１２に対して水平方向から垂直方向に回動する間には、係合状態が保持されると共に、上記アーム部１７が上記テーブル部１２に対して垂直となる位置となった場合に、上記係合状態が解除される。
また、図１に示すように、上記肘掛部１８は、上記アーム部１７の反遊技機側端部１６に取り付けられ、肘置部２０と、上記肘置部２０の下方に延設された支持部２１とを有し、上記アーム部１７の反遊技機側端部１６には、上記支持部２１を上下方向に移動可能に収納しうる受け部２２が設けられ、上記支持部２１の下端部２３ａには肘置部２０の高さ位置調整用の掛止片部２４が設けられると共に、上記受け部２２の内部には、上下方向に沿って、上記掛止片部２４が掛止されうる複数の段部２５，２５，２５，２５が設けられている
【００３２】
また、上記受け部２２は、図１に示すように、上記アーム部１７を、上記テーブル部１２に対して水平となる位置に装着した状態において、遊技者側に向かって所定角度傾斜して配置されると共に、上記段部２５，２５，２５，２５は、反遊技機側方向に突出して配置され、上記掛止片部２４は、上記アーム部１７を、上記テーブル部１２に対して水平となる位置に装着した状態において、遊技機１１方向に突出して配設され、上記肘掛部１８に対して荷重を掛けた場合には、上記掛止片部２４は上記段部２５に掛止する方向に付勢されると共に、上記肘掛部１８に対する荷重が解除された場合には、上記掛止片部２４と上記段部２５との掛止状態が解除され、上記支持部２１が上下方向に移動可能となるように形成されている。
【００３３】
また、上記支持部２１の上端部２３ｂには、上記肘置部２０に、スライド可能に嵌合しうる、台部２６が形成され、上記肘置部２０は、上記台部２６に沿って前後方向にスライドしうるように形成されている。
【００３４】
また、上記受け部２２の下端部近傍には、オプション部品装着用の螺子穴２７が設けられている。
【実施例１】
【００３５】
以下、添付図面を用いて、本実施例の構成を説明する。
図１に示すように、遊技機１１のテーブル部１２の遊技機１１側端部には、長さ寸法約１０ｃｍの略直方体に形成された合成樹脂製の肘掛取付部１３が上記テーブル部１２の前端縁１２ａにおいて、遊技者側に突出するように、螺子留め等の手段によって固定されている。
【００３６】
また、アーム部１７は、上板２８と上記上板２８に連結された下板２９とから形成され、上記アーム部１７を上記テーブル部１２に装着し、上記下板２９を、上記テーブル部１２に対して略水平となるように載置した場合に、上記上板２８は、上方に向かって弧状に傾斜して配置されるように形成されている。
【００３７】
また、上記アーム部１７の反遊技機側端部１６に形成された受け部２２は、略四角筒状に形成され、上記受け部２２の内方において、反遊技者側に配置される側壁３０には、上記受け部２２の軸方向に沿って所定間隔寸法離間した４つの段部２５、２５、２５、２５が突出して形成されている。
【００３８】
また、上記受け部２２に挿入される、肘掛部１８の支持部２１は、上記受け部２２の内側の幅寸法よりも小さな幅寸法を有する略四角柱状に形成され、下端部２３には、下方に傾斜して突出した掛止片部２４が配設されている。
【００３９】
また、上記支持部２１の上端部２３ｂの台部２６は略長方形板状に形成されると共に、上記台部２６と嵌合しうる上記肘置部２０は、幅方向断面略コ字形状に形成され、上記台部２６は上記肘置部２０の内方側面部に設けられた嵌合片部３１、３１、３１にスライド可能に勘合されている。
【００４０】
本実施例の作用について添付図面を用いて説明する。
図２（ａ）−１は、本実施例にかかる遊技機用肘掛１０の使用状態を示す側面図である。
図２（ａ）−１に示すように、使用状態においては、アーム部１７の下板２９がテーブル部１２に当接した状態となり、図２（ａ）−２に示すように、肘掛取付部１３の係合受け部１９と係合部１５は、互いに対向する向きに配置されて係合している。
【００４１】
図１に示すように、肘掛部１８を適当な高さに調整すると共に、受け部２２に配設された任意の段部２５に、支持部２１の先端に形成された掛止片部２４を掛止する。
【００４２】
上記の状態で、肘置部２０に肘を載置した場合、肘の荷重によって、上記肘掛部１８の支持部２１は、上記受け部２２の内部において前方に傾斜して配置され、上記支持部２１の遊技者側側壁３２と、上記受け部２２内方の遊技者側壁３４とが当接すると共に、この当接位置が支点となって、上記支持部２１の掛止片部２４には、遊技機１１方向への付勢力が作用する。
【００４３】
従って、上記肘置部２０に肘を載置した状態においては、上記付勢力によって、常に上記掛止片部２４と上記段部２５との掛止状態が強固に保持され、使用中に、上記肘掛部１８の高さが意図せずに変わってしまうことが無い。
また、肘を載置しない状態では、上記支持部２１は、上記受け部２２内部において上下方向に自由に移動することができるため、肘掛部１８の高さ調整作業が極めて容易に行うことができる。
【００４４】
また、上記肘置部２０は、上記台部２６に沿って前後方向にスライドしうるように形成されているため、肘の動きに合わせて、上記肘置部２０がスライドし、上記肘置部２０が常に最適な位置に調整される。
【００４５】
また、図２（ｂ）−１に示すように、遊技中においては、遊技機１１の前面ドア３５が閉止されていることから、上記アーム部１７を図中矢印Ａの方向に回動させた場合であっても、回動途中に上記アーム部１７とハンドル３３とが当接することから、図２（ｂ）−１の位置よりも遊技機１１側への回動が阻害される。
従って、図２（ｂ）−２に示すように、遊技中においては、上記肘掛取付部１３の係合受け部１９と係合部１５との係合が誤って解除されることはない。
【００４６】
また、図２（ｃ）−１に示すように、遊技機１１の前面ドア３５（図２（ｃ）−１には図示せず）を開放した場合は、上記アーム部１７の回動を阻害していたハンドル３３（図２（ｃ）−１には図示せず）が、回動範囲から外れることから、上記アーム部１７は上記テーブル部１２に対して垂直となる位置にまで回動させることが可能となり、図２（ｃ）−２に示すように、図中矢印Ａの方向にアーム部１７を引き抜くことによって、上記肘掛取付部１３の係合受け部１９と係合部１５との係合が解除され、遊技機用肘掛１０を非常に簡易な操作で取り外すことができる。
【００４７】
また、上記受け部２２の下端部近傍に配設されたオプション部品装着用の螺子穴２７に装着する部品は特に限定されず、例えば灰皿、物置用の小皿、フック等、螺子穴２７に螺合しうる螺子を有したものであれば自由に選択することができる。
【００４８】
また、図１に示すように、上記肘掛取付部１３が、上記テーブル部１２の前端縁１２ａに取り付けられていることから、上記肘掛取付部１３を取り外した差異には、螺子穴（図示せず）を粘着テープ等で塞ぐことによって、遊技機１１及びテーブル部１２の外観品質を損なわず、また、上記テーブル部１２上への賞球箱の載置等にも何ら支障とならない。
【００４９】
以上のように、本実施例によれば、着脱に際して螺子止め操作等が不要で着脱が極めて容易であると共に、遊技中に誤って外れてしまうことがなく、また、設置に際して、遊技場の床面等への工事が不要であるため、設置コストが低く、且つ取り外した際にはコンパクトであり保管場所に困窮することが無い遊技機用肘掛を提供することができる。
【００５０】
なお、アーム部の形状、段部の数、及び肘置き部の大きさ寸法等については、遊技場の要望に合わせて適宜変更することが可能であり、その場合であっても本実施例と同様の作用効果を得ることが可能である。
【産業上の利用可能性】
【００５１】
本発明は、パチンコ台等の遊技機に着脱可能に装着される遊技機用肘掛に適用可能である。
【符号の説明】
【００５２】
１０  遊技機用肘掛
１１  遊技機
１２  テーブル部
１２ａテーブル部の前端縁
１３  肘掛取付部
１４  アーム部の反遊技者側端部
１５  係合部
１６  アーム部の反遊技機側端部
１７  アーム部
１８  肘掛部
１９  係合受け部
２０  肘置部
２１  支持部
２２  受け部
２３ａ支持部下端部
２３ｂ支持部上端部
２４  掛止片部
２５  段部
２６  台部
２７  螺子穴
２８  アーム部上板
２９  アーム部下板
３０  受け部内方の遊技機側に配置される側壁
３１  嵌合片部
３２  支持部の遊技者側側壁
３３  ハンドル
３４  受け部内方の遊技者側側壁
３５  遊技機の前面ドア
６０  遊技機用肘掛
６１  被固定部
６２  床部
６３  ベース部
６４  支柱部
６５  斜材部
６５ａ斜材の上側半部
６５ｂ斜材の下側半部
６６  水平材部
６７  肘置部
６８  下側半部の側壁
６９  長孔
７０  軸部
【図１】
2011218020.tif 000003
【図２】
2011218020.tif 000004
【図３】
2011218020.tif 000005